(57)【要約】【課題】収容空間に着脱可能な仕切体が設けられ、かつ無線タグが貼り付けられた図書が収容されるコンテナにおいて、金属製の仕切体と無線タグの通信用の電磁波との干渉を防止することができるコンテナを提供すること。【解決手段】図書４の平表紙４ｃには、図書４を管理するための識別情報が記憶される無線タグ７が貼り付けられ、図書４は、その背表紙４ｄが少なくとも一方の第２側壁２７に向けられて左右方向に並べられた状態で、収容空間２１に収容されるようになっており、収容空間２１には、収容空間２１を左右に仕切るための磁性体で形成された仕切体３４が着脱自在に配置され、仕切体３４には、図書４の無線タグ７の貼付位置に対応する位置に、無線タグ７の寸法と略同一寸法以上の開口部４１が形成される。【選択図】図６
2012017113.tif 000002
【特許請求の範囲】
【請求項１】
平面視矩形状の底板と、該底板の左右端部から上方に向けて延設されている第１側壁と、前記底板の前後端部から上方に向けて延設されている第２側壁と、から構成され、前記第１側壁と前記第２側壁とで囲まれた内部が図書を収容するための上方に向けて開口する収容空間に形成されているコンテナであって、
前記図書の平表紙には、該図書を管理するための識別情報が記憶される無線タグが貼り付けられ、該図書は、その背表紙が少なくとも一方の第２側壁に向けられて左右方向に並べられた状態で、前記収容空間に収容されるようになっており、該収容空間には、該収容空間を左右に仕切るための磁性体で形成された仕切体が着脱自在に配置され、該仕切体には、前記図書の無線タグの貼付位置に対応する位置に、該無線タグの寸法と略同一寸法以上の開口部が形成されることを特徴とするコンテナ。
【請求項２】
前記仕切体は、前記収容空間で立設する仕切板部と、該仕切板部から延設され、少なくとも一方の前記第２側壁の上端部に左右方向に移動可能に係合する延設部と、を有していることを特徴とする請求項１に記載のコンテナ。
【請求項３】
複数の図書が前後２列に配置され、該各列の図書の背表紙が前後の各第２側壁に向けられており、前記底板が有する収容空間の底面を、前記前後の各第２側壁から中央方向に向かってそれぞれ上り傾斜としたことを特徴とする請求項１または２に記載のコンテナ。
【請求項４】
前記上り傾斜は、上り階段状に形成されていることを特徴とする請求項３に記載のコンテナ。
【請求項５】
前記無線タグの識別情報は、前記コンテナの第２側壁の外方側に配置されて平面状のアンテナ素子を備えるタグリーダによって、読み取られるようになっていることを特徴とする請求項１ないし４のいずれかに記載のコンテナ。
【請求項６】
前記仕切体の開口部は、該仕切体が略Ｃ字形状に切り欠かれて形成されることを特徴とする請求項１ないし５のいずれかに記載のコンテナ。
【発明の詳細な説明】
【技術分野】
【０００１】
本発明は、平面視矩形状の底板と、底板の左右端部から上方に向けて延設されている第１側壁と、底板の前後端部から上方に向けて延設されている第２側壁と、から構成され、第１側壁と第２側壁とで囲まれた内部が図書を収容するための上方に向けて開口する収容空間に形成されているコンテナに関する。
【背景技術】
【０００２】
従来のコンテナは、矩形の底部と、この底部の左右方向である一対の短辺側縁部から立設する一対の第１側壁部と、底部の前後方向である一対の長辺側縁部から立設する一対の第２側壁部（側壁）と、から構成される物品収容空間を有し、この物品収容空間を着脱自在な第１仕切板によって仕切るとともに、複数の図書を並べて収容できるようにしている（例えば、特許文献１参照）。
【先行技術文献】
【特許文献】
【０００３】
【特許文献１】特開２０００−１４２７０３号公報（第５頁、第８図）
【発明の概要】
【発明が解決しようとする課題】
【０００４】
特許文献１に記載のコンテナに用いられる着脱自在な第１仕切板（仕切体）は、物品収容空間を有効に利用するために薄い板状に形成することが好ましく、そのため金属等の強度を有する材質で形成されることがある。しかしながら、近年、多数の図書を管理するために、各図書に管理用の無線タグが貼り付けられる場合があり、この無線タグが図書の平表紙に貼り付けられると、この平表紙が仕切板に接触したときに、無線タグの通信用の電磁波が仕切板に干渉してしまい、無線タグの識別情報が読み取れなくなるという問題がある。
【０００５】
本発明は、このような問題点に着目してなされたもので、収容空間に着脱可能な仕切体が設けられ、かつ無線タグが貼り付けられた図書が収容されるコンテナにおいて、金属製の仕切体と無線タグの通信用の電磁波との干渉を防止することができるコンテナを提供することを目的とする。
【課題を解決するための手段】
【０００６】
前記課題を解決するために、本発明のコンテナは、
平面視矩形状の底板と、該底板の左右端部から上方に向けて延設されている第１側壁と、前記底板の前後端部から上方に向けて延設されている第２側壁と、から構成され、前記第１側壁と前記第２側壁とで囲まれた内部が図書を収容するための上方に向けて開口する収容空間に形成されているコンテナであって、
前記図書の平表紙には、該図書を管理するための識別情報が記憶される無線タグが貼り付けられ、該図書は、その背表紙が少なくとも一方の第２側壁に向けられて左右方向に並べられた状態で、前記収容空間に収容されるようになっており、該収容空間には、該収容空間を左右に仕切るための磁性体で形成された仕切体が着脱自在に配置され、該仕切体には、前記図書の無線タグの貼付位置に対応する位置に、該無線タグの寸法と略同一寸法以上の開口部が形成されることを特徴としている。
この特徴によれば、図書の背表紙が第２側壁に向けられて、図書の平表紙の無線タグの貼付位置が所定位置に決められるようになり、かつこの無線タグの貼付位置に対応する位置に仕切体の開口部が配置されるため、図書の平表紙が仕切体に接触したときに、開口部から無線タグの通信用の電磁波が透過できるようになり、仕切体と無線タグの通信用の電磁波との干渉を防止することができる。
【０００７】
本発明のコンテナは、
前記仕切体は、前記収容空間で立設する仕切板部と、該仕切板部から延設され、少なくとも一方の前記第２側壁の上端部に左右方向に移動可能に係合する延設部と、を有していることを特徴としている。
この特徴によれば、仕切体は、延設部が第２側壁に係合されて左右方向に倒れ難くなり、無線タグの貼付位置と仕切体の開口部との位置がずれることを防止できるばかりか、延設部を第２側壁の上端部に沿って左右方向に移動させることで、収容空間に収容されている図書を取り出すことなく仕切板部を左右方向に移動させ、収容空間に収容される図書の増減に応じて、仕切体によって図書を仕切る位置を適宜変更することができる。
【０００８】
本発明のコンテナは、
複数の図書が前後２列に配置され、該各列の図書の背表紙が前後の各第２側壁に向けられており、前記底板が有する収容空間の底面を、前記前後の各第２側壁から中央方向に向かってそれぞれ上り傾斜としたことを特徴としている。
この特徴によれば、コンテナ内に収容された図書の底部が上り傾斜に摺接されて、その背表紙がコンテナの前後の各第２側壁に当接されるようになり、コンテナ内に判型の異なる図書が収容されていても各図書の背表紙が第２側壁に沿って面一に配置され、仕切体の開口部に対応する位置に無線タグの貼付位置が位置決めされるようになる。
【０００９】
本発明のコンテナは、
前記上り傾斜は、上り階段状に形成されていることを特徴としている。
この特徴によれば、コンテナ内に収容される図書の底部とコンテナの底面との当接面を少なくすることができるので、コンテナ内に収容される図書は上り階段に沿って摺動し易くなり、他の図書と背表紙を面一にし易くなる。
【００１０】
本発明のコンテナは、
前記無線タグの識別情報は、前記コンテナの第２側壁の外方側に配置されて平面状のアンテナ素子を備えるタグリーダによって、読み取られるようになっていることを特徴としている。
この特徴によれば、タグリーダの平面状のアンテナ素子により広範囲に電磁波を照射されるようになり、この電磁波が仕切体の側方から周り込んで開口部を透過できるようになり、無線タグの識別情報の読み取りを正確に行うことができる。
【００１１】
本発明のコンテナは、
前記仕切体の開口部は、該仕切体が略Ｃ字形状に切り欠かれて形成されることを特徴としている。
この特徴によれば、開口部の周囲に電気回路が形成されることを防止でき、仕切体に対してタグリーダ等から電磁波が仕切体に向かって照射されても、仕切体からノイズとなる電磁波が生じることを防止できる。
【図面の簡単な説明】
【００１２】
【図１】実施例１における自動書庫及びステーションを示す平面図である。
【図２】ステーションを示す斜視図である。
【図３】ステーションを示す横断平面図である。
【図４】図書を示す斜視図である。
【図５】コンテナを示す正面図である。
【図６】コンテナを示す縦断側面図である。
【図７】（ａ）は、ディバイダの平面図であり、（ｂ）は、ディバイダの側面図であり、（ｃ）は、ディバイダの正面図である。
【図８】実施例２におけるコンテナを示す正面図である。
【図９】図８におけるコンテナの一部拡大図である。
【図１０】（ａ）は、ディバイダの平面図であり、（ｂ）は、ディバイダの側面図であり、（ｃ）は、ディバイダの正面図である。
【発明を実施するための形態】
【００１３】
本発明に係るコンテナを実施するための形態を実施例に基づいて以下に説明する。
【実施例１】
【００１４】
実施例１に係るコンテナにつき、図１から図７を参照して説明する。以下、図３及び図４の紙面下側をコンテナの正面側（前方側）とし、図５の紙面手前側をコンテナの正面側（前方側）とし、図６の紙面左側をコンテナの正面側（前方側）として説明する。
【００１５】
図１の符号１は、本発明の適用された図書保管管理システムである。この図書保管管理システム１は、図１に示すように、例えば、図書館にて書棚が利用者に公開されている利用者室２と、書棚が利用者に公開されていない閉架書庫３と、の間に亘って設置されており、閉架書庫３に収容されている図書４（図４参照）を利用者の要求に応じて利用者室２まで搬送するシステムである。
【００１６】
閉架書庫３には、図書４を収容するための複数の書棚５が配置されている。これら書棚５には、複数の図書４が立てた状態で収容された複数のコンテナ６が収容されている。尚、本発明における図書保管管理システム１は、コンテナ６毎に図書４を文学、スポーツ、評論等の分野毎に収容する固定ロケーション方式を採用している。
【００１７】
図４に示すように、図書４の表紙は、開き始めの側の表表紙４ａと表表紙４ａの裏側にある裏表紙４ｂとからなる平表紙４ｃと、図書４の背に設けられる背表紙４ｄと、から構成されている。
【００１８】
そして、図書４の平表紙４ｃにおける背表紙４ｄ寄りで且つ下端部寄りの箇所には、各図書４毎に固有の識別情報が記憶されているＲＦＩＤタグ７（無線タグ）が貼り付けられている。本実施例では、ＲＦＩＤタグ７は、全ての図書４の裏表紙４ｂに貼り付けられているものとして説明するが、表表紙４ａに貼り付けられていてもよい。更に、ＲＦＩＤタグ７の貼付箇所は、平表紙４ｃの表面でも裏面でもよい。
【００１９】
このＲＦＩＤタグ７の識別情報は、後述するタグリーダ１５と貸出用タグリーダ２０とによって読み取り可能となっている。尚、この識別情報とは、例えば、各図書４のタイトル、著者、出版社、ページ数等である。
【００２０】
また、本実施例におけるＲＦＩＤタグ７は、内蔵したＩＣチップを非接触方式（無線方式）にて、タグリーダ１５と貸出用タグリーダ２０とで読み取らせる公知のパッシブ型のＲＦＩＤタグである。
【００２１】
図１に示すように、図書保管管理システム１は、閉架書庫３にて書棚から図書４が収容されたコンテナ６を取り出すための複数基のスタッカクレーン８と、スタッカクレーン８によって書棚５から取り出されたコンテナ６を受け取るコンベア９と、を備えている。
【００２２】
また、利用者室２には、閉架書庫３からコンテナ６を搬送可能であって、利用者が目的の図書４の貸し出し、若しくは返却を行うことができるステーション１１が設けられている。ステーション１１にて設定された指令に基づき、スタッカクレーン８は、各書棚５におけるコンテナ６の収容位置まで前後並びに上下方向に自動走行して、コンテナ６の出し入れを行うようになっている。
【００２３】
図２に示すように、ステーション１１の上部には、その内部が中空である中空部１２が形成されている。この中空部１２内には、書棚５から連続したコンベア９が延設されている（図１参照）。このコンベア９は、平行に延設される２本のフレーム２４，２４と、このフレーム２４，２４間に並設される複数のローラ２５と、から構成されている（図６参照）。
【００２４】
コンベア９における隣り合うローラ２５同士の間には所定の間隔が設けられており、各ローラ２５は、任意の駆動手段によって同一方向に回転可能になっている。このコンベア９によって、コンテナ６は、その左右方向をコンベア９の搬送方向に向けた状態で中空部１２内の中央まで水平に搬送されるようになっている。
【００２５】
図３に示すように、ステーション１１の中空部１２内の中央には、コンベア９に連続して設けられたターンテーブル１３が配設されている。ステーション１１に搬送されたコンテナ６は、このターンテーブル１３上に載置されるようになっている。
【００２６】
ステーション１１の利用者は、ステーション１１の外面に設けられているコンテナ回転ボタン１１ａを押圧操作することで、ターンテーブル１３を回転させてコンテナ６を水平回転させることができる（図２参照）。そのため、コンテナ６は、その正面側及び背面側のいずれの側も利用者側に向けることができるようになり、コンテナ６の正面側及び背面側の両側に図書を収容しておくことができ、コンテナ６内のスペースを有効利用できる。
【００２７】
また、図２に示すように、ステーション１１の上部における正面側は、左右方向に中空部１２を開閉自在なスライド扉１４が取り付けられており、利用者は、このスライド扉１４を開放することによって中空部１２に搬送されてきたコンテナ６から図書４を取り出せるようになっている。
【００２８】
図３に示すように、ステーション１１の中空部１２内の右部には、コンベア９の正面側と背面側の両側に、コンテナ６に収容されている図書４のＲＦＩＤタグ７から識別情報を読み取るためのタグリーダ１５が設けられている。このタグリーダ１５は、コンベア９のフレーム２４にブラケット１６を介して移動不能に固定配置されている（図６参照）。
【００２９】
図２に示すように、ステーション１１の正面側には、利用者がコンテナ６から取り出した図書４を載置するための天板１７が設けられている。この天板１７上には、ステーション１１を利用する利用者に対して、図書４の貸し出し及び返却作業の指示を行うための表示装置１８が設けられている。この表示装置１８は、利用者が直接指等を接触させて操作可能なタッチパネル１９を備えている。
【００３０】
また、天板１７には、図書４の裏表紙４ｂに貼り付けられているＲＦＩＤタグ７から識別情報を読み取るための貸出用タグリーダ２０が埋設されている。尚、ステーション１１内には、特に図示しないが、これら表示装置１８とタッチパネル１９と貸出用タグリーダ２０とタグリーダ１５とコンベア９とスタッカクレーン８とに接続されている制御コンピュータ（図示略）が内蔵されている。
【００３１】
この制御コンピュータ（図示略）は、利用者がタッチパネル１９から図書４の貸し出し、または返却作業の操作を行うことに伴い、表示装置１８と貸出用タグリーダ２０とタグリーダ１５とコンベア９とスタッカクレーン８とを適宜制御可能となっている。
【００３２】
次に、図書４が収容されるコンテナ６について図５及び図６を参照して説明する。このコンテナ６は、ポリプロピレン等の樹脂材によって構成されている。図５及び図６に示すように、コンテナ６は、底板２８と、底板２８の左右端部から上方に向かって延設されている第１側壁２６と、底板２８の前後端部から上方に向かって延設されている第２側壁２７と、によって構成されており、上方に向かって開口する略箱体に形成されている。
【００３３】
また、第１側壁２６は、第２側壁２７よりも上下方向に長くなるように形成されている。これら第１側壁２６と第２側壁２７、及び底板２８とによって囲まれたコンテナ６の内部は、複数の図書４を収容するための上方に向けて開口する収容空間２１に形成されている。
【００３４】
図６に示すように、コンテナ６の底板２８が有する収容空間２１の底面は、底板２８の前後に設けられている第２側壁２７から中央方向に向かって上方に角度θの上り傾斜をなす傾斜面２９に形成されている。また、底板２８の前後方向の中央は、底板２８の左右にそれぞれ設けられている第１側壁２６，２６間で平面視で長方形状の水平面３２に形成されており、前後の傾斜面２９は、水平面３２の前後端縁に連設されている。
【００３５】
また、第２側壁２７の上端部の外側端縁部は、第２側壁２７の外側面の一部がコンテナ６の内側に向けて凹設された切欠３３に形成されている。第２側壁２７は、その内側面３０が下端部から上方に向けてコンテナ６の前後方向の外側方に向けて傾斜面２９と同一傾斜角である角度θの傾斜をなして形成されている。
【００３６】
そのため、第２側壁２７の内側面３０と底板２８の傾斜面２９とのなす角が直角となり、図書４の角部を保持することができるとともに、コンテナ６内に収容された図書４の底部が上り傾斜に摺接されて、その背表紙４ｄがコンテナ６の前後の各第２側壁２７に当接されるようになり、コンテナ６内に判型の異なる図書４が収容されていても各図書４の背表紙４ｄが第２側壁２７に沿って面一に配置される。そして、コンテナ６がタグリーダ１５の設置位置を通過する際に、図書４の裏表紙４ｂにおける背表紙４ｄ寄りに貼り付けられたＲＦＩＤタグ７をタグリーダ１５に近接させることができる。
【００３７】
尚、本実施例では、これら傾斜面２９と内側面３０の角度θは、約５度に形成されているが、コンテナ６内に収容されている図書４が収容空間２１から脱落する角度でなければ角度θは特に限定されない。更に、コンテナ６内には、第２側壁２７間で底板２８の左右方向の略中央から上方に向かって隔壁３１が立設されており、この隔壁３１によって収容空間２１は、左右に仕切られている（図３参照）。
【００３８】
また、コンテナ６内には、収容空間２１を正面側と背面側とに仕切る磁性板２２が２枚設けられており、これら２枚の磁性板２２は、スチール材や鉄材等の金属製材料、すなわち磁性部材によって構成されている。尚、この磁性板２２に、フェライトシート等の磁性シート（図示略）を貼り付けるようにしてもよく、フェライトシートが貼り付けられていれば、磁性板２２にＲＦＩＤタグ７が接触している状態であっても、ＲＦＩＤタグ７の識別情報をタグリーダ１５によって読み取ることができる。
【００３９】
これら磁性板２２によって、コンテナ６の正面側と背面側とに分割された収容空間２１にて、コンテナ６に収容される複数の図書４は、前後２列に配置され、背表紙４ｄをコンテナ６の第２側壁２７に向けた状態で、かつ図書４の厚み方向である左右方向に並べられた状態で収容されるようになっている。
【００４０】
尚、コンテナ６の収容空間２１は、磁性部材によって構成された磁性板２２によって正面側と背面側とに分割されているので、コンベア９の正面側に設けられたタグリーダ１５は、収容空間２１の正面側に収容されている図書４のＲＦＩＤタグ７に限定して、その識別情報を読取可能となっている。同様に、コンベア９の背面側に設けられたタグリーダ１５は、収容空間２１の背面側に収容されている図書４のＲＦＩＤタグに限定して、その識別情報を読取可能となっている。
【００４１】
このように構成されて図書４を収容するコンテナ６は、利用者が図書４の貸し出しや返却処理を行う際にタッチパネル１９を操作することに伴い、ステーション１１からの指令に基づいて閉架書庫３の書棚５からスタッカクレーン８とコンベア９を介してステーション１１内の中空部１２の中央まで搬送される（図１参照）。
【００４２】
具体的には、先ず、利用者はタッチパネル１９を操作することで、目的とする図書４のタイトルや著者等の識別情報を入力し、目的とする図書４が収容されているコンテナ６を搬送するように操作指示を行う。
【００４３】
ステーション１１は、この搬送指示に基づいてスタッカクレーン８とコンベア９とに対して、利用者の目的とする図書４が収容されているコンテナ６を、閉架書庫３の書棚５からステーション１１内の中空部１２の中央まで搬送させる制御を行う。
【００４４】
そして、コンテナ６がステーション１１内の中空部１２の中央に向けて搬送される際に、コンベア９の正面側と背面側とに設けられたタグリーダ１５によってコンテナ６の正面側と背面側とに収容空間２１内に収容されている図書４のＲＦＩＤタグ７の識別情報が順次読み取られる。
【００４５】
ステーション１１は、順次読み取った識別情報に基づいて、表示装置１８に識別情報としての図書４のタイトル等を表示させる。これにより、利用者はコンテナ６の収容空間２１内における目的とする図書４の収容位置を把握することができるようになっている。
【００４６】
尚、利用者が目的とする図書４がコンテナ６の収容空間２１の背面側に収容されている場合には、利用者がコンテナ回転ボタン１１ａを押圧操作することでターンテーブル１３を回転させて、コンテナ６の向きを回転変更させることで、目的とする図書４を容易にコンテナ６から取り出すことができる。そして、コンテナ６の収容空間２１から取り出した図書４は、貸出用タグリーダ２０によってＲＦＩＤタグ７から識別情報を読み取らせることによって貸出処理を行うことができる。
【００４７】
利用者は、図書４の貸し出しが終了した後、再びタッチパネル１９を操作することで、ステーション１１内から閉架書庫３の書棚５にコンテナ６を返却する操作指示を行う。ステーション１１は、この操作指示に基づいてスタッカクレーン８とコンベア９とに対して、コンテナ６を書棚５に返却させる制御を行うことで、図書４の貸し出しから返却までの操作が完了する。
【００４８】
また、図５及び図６に示すように、収容空間２１の正面側と背面側とには、収容空間２１に収容されている複数の図書４が横倒しとならないように、第１側壁２６または隔壁３１とともに左右方向から複数の図書４を挟持し、複数の図書４を著者毎等で仕切るための本発明における仕切体としてのディバイダ３４が前後方向を向いて着脱自在に配置されている。
【００４９】
以下、収容空間２１の正面側と背面側に配置されているディバイダ３４は同一構成につき、主に収容空間２１の正面側に配置されているディバイダ３４について、図５から図７を参照して説明する。
【００５０】
図７（ａ）から（ｃ）に示すように、ディバイダ３４は、平面視略長方形状のベース板部３５と、ベース板部３５の左端部から立設される仕切板部３６と、仕切板部３６の前端上部に設けられる延設部３７と、から構成されている。また、仕切板部３６の前端部は、ベース板部３５に対して垂直をなすように形成されている。
【００５１】
これらベース板部３５と仕切板部３６と延設部３７とは、一枚のスチール材等の金属材によって構成された板体の折曲げ加工により形成されており、ベース板部３５の前後幅寸法は、コンテナ６の傾斜面２９の前後幅寸法と略同寸法に形成されている。
【００５２】
延設部３７は、仕切板部３６の前端部よりも左方に延設された側片３８と、側片３８の前端部から正面側に向けて延設された突片３９と、突片３９の前端部から下方に向けて延設された係止片４０と、から構成されている。
【００５３】
図７（ｂ）に示すように、仕切板部３６における正面側の箇所には、側面視で略四角形状に開口する開口部４１が形成されている。後述するように、この開口部４１は図書４のＲＦＩＤタグ７の貼付位置に対応する位置に形成されるとともに、開口部４１の寸法は、ＲＦＩＤタグ７の寸法と略同一寸法以上の大きさに形成されている。
【００５４】
尚、本実施例では、開口部４１は仕切板部３６の略半分の大きさを占めているが、仕切板部３６における開口部４１の周囲の部位によって図書４を支持及び挟持することができるようになっている。
【００５５】
前述のように構成されたディバイダ３４は、収容空間２１に上方から収容配置されることで、第２側壁２７の上端部に延設部３７が上方から係合するようになっている。具体的には、ディバイダ３４が収容空間２１に上方から収容配置されることで、延設部３７を構成する突片３９と係止片４０とが、第２側壁２７の上面と第２側壁２７の外側面である切欠３３の凹設箇所とを取り囲み、突片３９と係止片４０とは、利用者がコンテナ６の外面視から視認可能となる。
【００５６】
このため、係止片４０と仕切板部３６の前端部とは、第２側壁２７の上端部の前後方向に配置されるので、コンテナ６の搬送時等にディバイダ３４に前後方向の揺動が発生しても、第２側壁２７に係止片４０と仕切板部３６の前端部との一方が当接することで、ディバイダ３４の前後方向への揺動を規制することができる。
【００５７】
また、ディバイダ３４は、収容空間２１に収容配置されることで、ベース板部３５が底面で傾斜面２９と面接触するようになっており、このベース板部３５と傾斜面２９との面接触によってディバイダ３４の左右方向への横倒れが防止されている。
【００５８】
延設部３７は、第２側壁２７の上端部に係合することで、第２側壁２７の上端部に沿って左右方向に移動可能になっている。このため、延設部３７を左右方向に移動させることで、収容空間２１に収容されている図書４を取り出すことなく仕切板部３６とベース板部３５とを延設部３７の左右方向の移動に追従させ、収容空間２１に収容される図書４の増減に応じて、ディバイダ３４によって図書４を仕切る位置を適宜変更することができる。
【００５９】
また、図６に示すように、タグリーダ１５は、コンテナ６の第２側壁２７の外側に配置されており、第２側壁２７の外側面側に向けて電磁波４２を発生させる平面状のアンテナ素子を備えるタグリーダ１５となっている。コンテナ６が搬送されて図書４がタグリーダ１５の電磁波４２の分布範囲内に位置すると、図書４の裏表紙４ｂに貼り付けられたＲＦＩＤタグ７の識別情報がタグリーダ１５によって順次読み取られるようになっている。
【００６０】
前述したように、ディバイダ３４は、延設部３７が第２側壁２７の上端部に係合することで、仕切板部３６に形成された開口部４１がコンテナ６の第２側壁２７及び底板２８を基準に常に所定位置に配置される。また、コンテナ６の底板２８が有する収容空間２１の底面は、第２側壁２７から中央に向かって上り傾斜をなす傾斜面２９に形成されているため、図書４の背表紙４ｄが第２側壁２７に沿って面一に配置され、ディバイダ３４の開口部４１に対応する位置にＲＦＩＤタグ７の貼付位置が位置決めされるようになっている。
【００６１】
また、ディバイダ３４に形成された延設部３７が第２側壁２７に係合されることにより、ディバイダ３４が左右方向に倒れ難くなり、ＲＦＩＤタグ７の貼付位置とディバイダ３４の開口部４１との位置がずれることを防止できるようになっている。
【００６２】
尚、タグリーダ１５は、図書４に貼り付けられたＲＦＩＤタグ７がディバイダ３４に１０％程度被っていてもＲＦＩＤタグ７の識別情報を読み取ることができる。そのため、図書４のサイズ等によりＲＦＩＤタグ７の貼付位置が多少ずれてＲＦＩＤタグ７全体がディバイダ３４の開口部４１内に収まらない場合でも、タグリーダ１５によってＲＦＩＤタグ７の識別情報が読み取られるようになっている。
【００６３】
このようにコンテナ６とディバイダ３４とを係合させることでコンテナ６に対してディバイダ３４が位置決めされるとともに、コンテナ６の傾斜面によって図書４の背表紙４ｄが第２側壁２７に向けられて、図書４の裏表紙４ｂのＲＦＩＤタグ７の貼付位置が所定位置に決められるようになり、かつこのＲＦＩＤタグ７の貼付位置に対応する位置にディバイダ３４の開口部４１が配置される。
【００６４】
また、タグリーダ１５における平面状のアンテナ素子から広範囲に電磁波４２が照射され、この電磁波４２がディバイダ３４の側方から周り込んで開口部４１を透過できるようになり、ＲＦＩＤタグ７の識別情報の読み取りを正確に行うことができる。
【００６５】
更に、ＲＦＩＤタグ７が貼り付けられた図書４の裏表紙４ｂがディバイダ３４に接触したときに、開口部４１からＲＦＩＤタグ７の通信用の電磁波４２が透過できるようになり、ディバイダ３４とＲＦＩＤタグ７の通信用の電磁波４２との干渉を防止することができる。
【００６６】
このように、タグリーダ１５から発せられる電磁波４２が金属材のディバイダ３４によって妨げられることがなく、タグリーダ１５は、図書４の図書４の裏表紙４ｂに貼り付けられたＲＦＩＤタグ７の識別情報を読み取ることができる。
【００６７】
以上、本実施例におけるコンテナ６にあっては、図書４の平表紙４ｃには、図書４を管理するための識別情報が記憶されるＲＦＩＤタグ７が貼り付けられ、図書４は、その背表紙４ｄが少なくとも一方の第２側壁２７に向けられて左右方向に並べられた状態で、収容空間２１に収容されるようになっており、収容空間２１には、収容空間２１を左右に仕切るための磁性体で形成されたディバイダ３４が着脱自在に配置され、ディバイダ３４には、図書４のＲＦＩＤタグ７の貼付位置に対応する位置に、ＲＦＩＤタグ７の寸法と略同一寸法以上の開口部４１が形成されることで、図書４の背表紙４ｄが第２側壁２７に向けられて、図書４の平表紙４ｃのＲＦＩＤタグ７の貼付位置が所定位置に決められるようになり、かつこのＲＦＩＤタグ７の貼付位置に対応する位置にディバイダ３４の開口部４１が配置されるため、図書４の平表紙４ｃがディバイダ３４に接触したときに、開口部４１からＲＦＩＤタグ７の通信用の電磁波４２が透過できるようになり、ディバイダ３４とＲＦＩＤタグ７の通信用の電磁波４２との干渉を防止することができる。
【００６８】
また、コンテナ６は、ディバイダ３４は、収容空間２１で立設する仕切板部３６と、仕切板部３６から延設され、少なくとも一方の第２側壁２７の上端部に左右方向に移動可能に係合する延設部３７と、を有していることで、ディバイダ３４は、延設部３７が第２側壁２７に係合されて左右方向に倒れ難くなり、ＲＦＩＤタグ７の貼付位置とディバイダ３４の開口部４１との位置がずれることを防止できるばかりか、延設部３７を第２側壁２７の上端部に沿って左右方向に移動させることで、収容空間２１に収容されている図書４を取り出すことなく仕切板部３６を左右方向に移動させ、収容空間２１に収容される図書４の増減に応じて、ディバイダ３４によって図書４を仕切る位置を適宜変更することができる。
【００６９】
また、コンテナ６は、複数の図書４が前後２列に配置され、各列の図書４の背表紙４ｄが前後の各第２側壁２７に向けられており、底板２８が有する収容空間２１の底面を、前後の各第２側壁２７から中央方向に向かってそれぞれ傾斜面２９としたことで、コンテナ６内に収容された図書４の底部が傾斜面２９に摺接されて、その背表紙４ｄがコンテナ６の前後の各第２側壁２７に当接されるようになり、コンテナ６内に判型の異なる図書４が収容されていても各図書４の背表紙４ｄが第２側壁２７に沿って面一に配置され、ディバイダ３４の開口部４１に対応する位置にＲＦＩＤタグ７の貼付位置が位置決めされるようになる。
【００７０】
また、コンテナ６は、ＲＦＩＤタグ７の識別情報は、コンテナ６の第２側壁２７の外方側に配置されて平面状のアンテナ素子を備えるタグリーダ１５によって、読み取られるようになっていることで、タグリーダ１５の平面状のアンテナ素子により広範囲に電磁波４２を照射されるようになり、この電磁波４２がディバイダ３４の側方から周り込んで開口部４１を透過できるようになり、ＲＦＩＤタグ７の識別情報の読み取りを正確に行うことができる。
【実施例２】
【００７１】
次に、実施例２に係るコンテナにつき、図８から図１０を参照して説明する。尚、前記実施例と同一構成で重複する構成を省略する。
【００７２】
図８に示すように、コンテナ６の底板４３が有する収容空間２１の底面は、底板４３の前後に設けられている第２側壁２７から中央方向に向かって段部４４，４５，４６を有する上り階段４７に形成されている。また、底板４３の前後方向の中央は、底板４３の左右にそれぞれ設けられている第１側壁２６，２６間で平面視で長方形状の水平面３２に形成されており、前後の上り階段４７は、水平面３２の前後端縁に連設されている。
【００７３】
上り階段４７は、第２側壁２７から水平面３２にかけて３段の段部４４，４５，４６によって構成されており、これら段部４４，４５，４６の前後寸法は、収容空間２１に収容される図書４の判型の奥行き寸法に対応して形成されており、それぞれ異なる判型の図書４の底部が当接するようになっている。
【００７４】
段部４４は、第２側壁２７の内側面３０から水平面３２に向かって延設される第１水平面４８と、第１水平面４８の後端部から上方に向かって垂直に延設される第１垂直面４９と、によって構成されている。そして、第２側壁２７の内側面３０と第１垂直面４９との間の前後寸法は、例えば、文庫本５０の判型の奥行き寸法と略同一に形成されている。
【００７５】
また、段部４５は、第１垂直面４９の上端部から水平面３２に向かって延設される第２水平面５１と、第２水平面５１の後端部から上方に向かって垂直に延設される第２垂直面５２と、によって構成されている。そして、第２側壁２７の内側面３０と第２垂直面５２との間の前後寸法は、例えば、Ｂ５判の雑誌５３の判型の奥行き寸法と略同一に形成されている。
【００７６】
更に、段部４６は、第２垂直面５２の上端部から水平面３２に向かって延設される第３水平面５４と、第３水平面５４の後端部から上方に向かって垂直に延設される第３垂直面５５と、によって構成されている。そして、第２側壁２７の内側面３０と第３垂直面５５との間の前後寸法は、例えば、Ａ４判の雑誌５６の判型の奥行き寸法と略同一に形成されている。
【００７７】
前述のように上り階段４７が形成されることで、コンテナ６内に収容される図書４の底部とコンテナ６の底面との当接面を少なくすることができるので、コンテナ６内に収容される図書４は上り階段４７に沿って摺動し易くなり、他の図書４と背表紙４ｄを面一にし易くなる。
【００７８】
また、図書４は、背表紙４ｄを第２側壁２７の内側面３０に当接させるとともに、第１〜第３垂直面４９，５２，５５に図書４の下端部を当接させることで、前後をコンテナ６に挟持された状態となる（図９参照）。この状態で、図書４は、底部を第１〜第３垂直面４９，５２，５５に当接させて収容空間２１に収容されるため、文庫本５０とＢ５判の雑誌５３とＡ４判の雑誌５３等の異なる判型の図書４が収容されても、全て背表紙４ｄが正面側の第２側壁２７側に面一に整列配置される。
【００７９】
前記実施例と同様に、コンテナ６の左右の第１側壁２６，２６間には、収容空間２１を仕切るディバイダ５７が設けられている。図１０に示すように、ディバイダ５７は、仕切板部３６の前端部から中央部に向かって略コ字形状（略Ｃ字形状）に切り欠かれた開口部５８が形成されている。この開口部５８は図書４のＲＦＩＤタグ７の貼付位置に対応する位置に形成されるとともに、開口部５８の寸法は、ＲＦＩＤタグ７の寸法と略同一寸法以上に形成されている。
【００８０】
そして、ディバイダ５７がコンテナ６の収容空間２１に上方から収容配置され、第２側壁２７の上端部に延設部３７が係合されると、ＲＦＩＤタグ７の貼付位置に対応する位置にディバイダ５７の開口部５８が配置される。
【００８１】
そのため、開口部５８の周囲に電気回路が形成されることを防止でき、ディバイダ５７に対してタグリーダ１５から電磁波４２が照射されても、ディバイダ５７からノイズとなる電磁波が生じることを防止できる。そして、タグリーダ１５は、図書４の図書４の裏表紙４ｂに貼り付けられたＲＦＩＤタグ７の識別情報を確実に読み取ることができる。
【００８２】
以上、本実施例におけるコンテナ６にあっては、上り傾斜は、上り階段４７状に形成されていることで、コンテナ６内に収容される図書４の底部とコンテナ６の底面との当接面を少なくすることができるので、コンテナ６内に収容される図書４は上り階段に沿って摺動し易くなり、他の図書４と背表紙４ｄを面一にし易くなる。
【００８３】
また、コンテナ６は、ディバイダ５７の開口部５８は、ディバイダ５７が略コ字形状（略Ｃ字形状）に切り欠かれて形成されることで、開口部５８の周囲に電気回路が形成されることを防止でき、ディバイダ５７に対してタグリーダ１５等から電磁波４２がディバイダ５７に向かって照射されても、ディバイダ５７からノイズとなる電磁波が生じることを防止できる。
【００８４】
以上、本発明の実施例を図面により説明してきたが、具体的な構成はこれら実施例に限られるものではなく、本発明の要旨を逸脱しない範囲における変更や追加があっても本発明に含まれる。
【００８５】
例えば、前記実施例では、図書保管管理システム１を、コンテナ６毎に図書４を分野毎に収容する固定ロケーション方式として説明したが、コンテナ６内に図書４を分野を問わずに収容し、図書４の保管効率を向上させたフリーロケーション方式としてもよい。
【００８６】
また、前記実施例では、コンテナ６の収容空間２１内に図書４を背表紙４ｄをコンテナ６の外側である正面側と背面側とに向けて立てた状態で収容したが、タグリーダ１５によってＲＦＩＤタグ７から識別情報が読取可能であるならば、背表紙４ｄを上方や収容空間２１の前後方向の中央に向けて立てた状態で収容してもよいし、複数の図書４を収容空間２１内で平積みして収容するようにしてもよい。
【００８７】
また、前記実施例では、ＲＦＩＤタグ７を平表紙４ｃの表面または裏面に貼り付けているが、ＲＦＩＤタグ７の貼付箇所は平表紙４ｃに近接して貼り付けられていればよく、平表紙４ｃの内側１〜２枚目の箇所に貼り付けてもよいし、平表紙４ｃの内側に台紙等を挟み込んでその台紙に貼り付けてもよい。
【００８８】
また、前記実施例１のように、タグリーダ１５は、図書４に貼り付けられたＲＦＩＤタグ７はディバイダ３４に１０％程度被っていてもＲＦＩＤタグ７の識別情報を読み取ることができるが、このタグリーダ１５の感度を向上させることで、ＲＦＩＤタグ７がディバイダ３４に半分程度まで被ってもＲＦＩＤタグ７の識別情報を読み取るようにできる。
【００８９】
また、前記実施例１では、コンテナ６の底板２８に傾斜面２９を形成し、図書４の底部を傾斜面２９に摺接させることによって図書４の背表紙４ｄを第２側壁２７の内側面３０に当接するようにしたが、傾斜面２９にフッ素樹脂等の動摩擦計数の小さい低摩擦材を貼り付けることによって、確実に図書４の底部が上り傾斜面２９に摺接するようにしてもよい。
【００９０】
また、前記実施例２では、上り傾斜を図書４の判型に対応して３段の段部４４，４５，４６を有する上り階段４７に形成したが、上り傾斜を判型にとらわれずに角度θをなすように、より細かいピッチの上り階段に形成して、第１側壁２６，２６側に向かって図書４が摺接しやすいようにしてもよい。この場合には、第１側壁２６，２６は、下端から上方に向けて上り傾斜の角度θとほぼ同じ角度で外方に傾斜させる。
【００９１】
また、前記実施例２では、図書４を第２側壁２７の内側面３０と第１〜第３垂直面４９，５２，５５との間で挟持することで、文庫本５０とＢ５判の雑誌５３とＡ４判の雑誌５６を収容空間２１に収納したが、タブロイド判等のＡ４判よりも大きいサイズの図書４場合には、第２側壁２７の内側面３０と磁性板２２との間で図書４を挟持するようにしてもよい。
【００９２】
また、前記実施例２では、開口部５８を側面視略四角形状に形成して前端部が開口するようにしたが、一部が開口する開口部５８であればよいので、開口する幅を狭めて形成してもよい。
【符号の説明】
【００９３】
１                図書保管管理システム
４                図書
６                コンテナ
７                ＲＦＩＤタグ（無線タグ）
１５              タグリーダ
２１              収容空間
２６              第１側壁
２７              第２側壁
２８              底板
２９              傾斜面（上り傾斜）
３４              ディバイダ（仕切体）
４７              上り階段（上り傾斜）
５７              ディバイダ（仕切体）
５８              開口部
【図１】
2012017113.tif 000003
【図２】
2012017113.tif 000004
【図３】
2012017113.tif 000005
【図４】
2012017113.tif 000006
【図５】
2012017113.tif 000007
【図６】
2012017113.tif 000008
【図７】
2012017113.tif 000009
【図８】
2012017113.tif 000010
【図９】
2012017113.tif 000011
【図１０】
2012017113.tif 000012